(57)【特許請求の範囲】
【請求項１】
垂直に配置され、複数種類のＣＤが１枚づつ並べられるように区画されたディスプレイ用棚と、
該ディスプレイ用棚の各区画の上に個々のＣＤに対応するように番号を付した第１の表示部と、
傾斜して配置され同一種類のＣＤを複数枚収納するよう区画されたストック用棚と、
該ストック用棚の端部に配置された第２の表示部と、
該第２の表示部に設けたメッセージカード収納部と、
ＣＤ再生装置と
を備え、
該ＣＤ再生装置が再生している曲に対応するＣＤの置かれたデスプレイ用棚の第１の表示部と、これと対応したストック用棚の第２の表示部とを点灯させること
を特徴とするＣＤ展示装置。
【請求項２】
前記ストック用棚のＣＤ収納部は、収納ケースごと入替え可能に構成したことを特徴とする請求項１に記載のＣＤ展示装置。
【請求項３】
前記ＣＤ再生装置は、ＣＤに収納された曲の一部のみが演奏される構成としたことを特徴とする請求項１に記載のＣＤ展示装置。
【発明の詳細な説明】
【０００１】
【発明の属する技術分野】
本発明は、ＣＤ（Compact Disc）ショップ、ＣＤレンタル店、書店等のＣＤを販売、賃貸している店に於けるＣＤ展示装置に関するものである。
【０００２】
【従来の技術】
一般に従来のＣＤ展示装置は、ＣＤショップ、レンタルＣＤ店等において、使用されており、単に陳列棚にＣＤを並べておき、店内で流すＢＧＭとして、最新発売のＣＤや推薦ＣＤを使用していた。また、ＣＤ展示装置に予め展示してあるＣＤを表示しつつ演奏する装置も提供されていた。
【０００３】
【発明が解決しようとする課題】
しかし、上述のように従来のＣＤ展示装置では、店内のお客は、曲名を知っていればよいが、知らない場合、自分の買いたいＣＤを簡単に選び出す事ができなかった。また、曲名や歌手の名前は知らなくとも、メロディの一部だけを知っている場合もある。かかる場合、お客が容易に自分の買いたいＣＤを選択する事ができなかった。一方、ＣＤ展示装置に予め展示してある曲を表示しながら演奏するものにあっては、装置が大掛かりであり、取扱いが困難であった。更に、従来はＣＤをディスプレーしてある棚と、ストックしてある棚が同じである為に、お客が丁寧にＣＤを棚から取り出せばよいが、乱暴に扱うとＣＤの配列が乱雑となり、店員は常に整理していなければならないと云う欠点が存在した。
【０００４】
本発明の目的は、これら従来のＣＤ展示装置の問題点に鑑み、現在店内で放送されている音楽がどのＣＤであるかを消費者或いは利用者に容易に理解させると共に、利用者が気に入ったＣＤをストック用棚から自由に取り出しても、ディスプレイ用棚のＣＤが乱雑になる事がないＣＤ展示装置を提供することにある。
【０００５】
【課題を解決するための手段】
上記目的を達成するために、本発明のＣＤ展示装置は、垂直に配置され、複数種類のＣＤが１枚づつ並べられるように区画されたディスプレイ用棚と、該ディスプレイ用棚の各区画の上に個々のＣＤに対応するように番号を付した第１の表示部と、傾斜して配置され同一種類のＣＤを複数枚収納するよう区画されたストック用棚と、該ストック用棚の端部に配置された第２の表示部と、該第２の表示部に設けたメッセージカード収納部と、ＣＤ再生装置とを備え、該ＣＤ再生装置が再生している曲に対応するＣＤの置かれたデスプレイ用棚の第１の表示部と、これと対応したストック用棚の第２の表示部とを点灯させるものである。
【０００６】
前記ストック用棚のＣＤ収納部は、収納ケースごと入替え可能に構成したものである。また、前記ＣＤ再生装置は、ＣＤに収納された曲の一部のみが演奏される構成としたことを特徴とするものである。
【０００７】
本発明に係るＣＤ展示装置では、展示してある全てのＣＤが順番に再生され、店内で再生されているＣＤの置かれた棚の部位が第１の表示部、第２の表示部により点灯されるので、お客が自分で現在流れている曲名を知る事ができると共に、ストック用棚のＣＤを取り出してもディスプレイ用棚のＣＤの配列が乱雑となる事がない。
【０００８】
【発明の実施の形態】
以下、本発明の実施例について、図面を参照しつつ説明する。図１は本発明のＣＤ展示装置を示す全体斜視図、図２は同ＣＤ展示装置の正面図、図３は同ＣＤ展示装置の一部を切欠いた側面図である。
【０００９】
ここで、ＣＤ展示装置１０は、垂直に配置されたディスプレイ用棚１１と、傾斜して配置されストック用棚１２とを備えている。ディスプレイ用棚１１は、ＣＤが１枚づつ展示できる区画１１ａに分割されている。本実施例では、ディスプレイ用棚１１は、２段に構成されており、１段に各々５個の区画１１ａが配置されている。
【００１０】
ＣＤ展示装置１０の前面でディスプレイ用棚１１の上には、個々のＣＤに対応する様に複数の第１の表示部１３が配設されている。第１の表示部１３の表面には、「数字」、「アルファベット」等の文字が記載されており、内部に図外の発光電球が備えられている。内部の電球は、点灯或いは一定周期で点滅を行う。また、第１の表示部１３は、電球の代わりに面発光部材を使用してもよい。
【００１１】
第１の表示部１３の上には、スピーカ１４が配設されており、ＣＤ再生装置と接続されている。ストック用棚１２は、傾斜して配置されており、利用者が正面に立った場合に見易いように構成されている。また、ストック用棚１２は、同一種類のＣＤを複数枚収納するよう区画された収納部１２ａが複数形成されている。更に、収納部１２ａには、収納ケース１２ｂが取り外し自在に設けられている。
【００１２】
また、ストック用棚１２の各段の端部には、第２の表示部１５が配置されている。第２の表示部１５の内部には、図外の電球等が配置されており、前述の第１の表示部１３と連動して点灯する。更に、第２の表示部１５には、メッセージカード収納部１６が設置されている。メッセージカード収納部１６には、ＣＤの推薦理由や曲名、作曲者の紹介等が掲載される。消費者或いは利用者は、このメッセージカード収納部１６によって、曲名、作曲者を知る事ができる。第２の表示部１５の横の収納部１２ａには、ＣＤが複数枚収納されており、消費者或いは利用者はここから自由に取り出し、買ったり借りたりする事ができる。
【００１３】
ＣＤ再生装置１７は、本実施例では、ストック用棚１２の下のキャビネット１８内に配設されている。ＣＤ再生装置１７には、スピーカー１４が接続されており、このスピーカー１４は、ディスプレイ用棚１１の上部に配設されている。更に、キャビネット１８内には、制御装置が備えられており、ＣＤ再生装置１７のＣＤ再生開始或いは終了信号を検出して、第１の表示部１３、第２の表示部１５の点灯、消灯の制御を行う。
【００１４】
次に、以上のように構成されたＣＤ展示装置の使用方法について説明する。先ず、お店で選んだ推奨曲や、ベストヒット曲を１０枚選択して、ディスプレイ用棚１１に順番に並べる。同様に、ストック用棚１２にもこれとあわせて、ＣＤを順番に並べる。また、メッセージカード収納部１６には、夫々のＣＤに対応した説明書きを記載する。一方、ＣＤ再生装置１７には、ディスプレイ用棚１１の配列順にＣＤが再生されるように連続演奏装置にセットする。
【００１５】
更に、第１の表示部１３、第２の表示部１５は、ＣＤの再生順に点灯或いは、点滅するように図外の制御装置をセットする。然る後、スイッチをＯＮすると、ディスプレイ用棚１１に展示されたＣＤは、全部再生される。ＣＤの再生時間は、曲の全部でも良く、また始めの何フレーズかでも良い。始めの何フレーズかを選択した場合には、短時間で全部の曲を紹介する事ができる。
【００１６】
この様に、ＣＤの再生音楽を順次店内に流しておき、店内に入ってきたお客がその曲を聴いて、そのＣＤの情報を知りたい場合に、第１の表示部１３、第２の表示部１５の点灯した位置によって、確認する事が出来る。また、ディスプレイ用棚１１とストック用棚１２とが別々に設けられているので、ディスプレイ用棚１１のＣＤが乱雑になる事なく、整頓の必要がない。更に、ストック用棚１２のＣＤを交換する場合、収納ケース１２ｂ毎に交換できるので、交換作業が容易である。尚、本発明は以上の実施例に限る事なく、本発明の技術思想に基づいて種々の変形が可能である。
【００１７】
【発明の効果】
以上説明したように、本発明のＣＤ展示装置では、垂直に配置され、複数種類のＣＤが１枚づつ並べられるように区画されたディスプレイ用棚と、該ディスプレイ用棚の各区画の上に個々のＣＤに対応するように番号を付した第１の表示部と、傾斜して配置され同一種類のＣＤを複数枚収納するよう区画されたストック用棚と、該ストック用棚の端部に配置された第２の表示部と、該第２の表示部に設けたメッセージカード収納部と、ＣＤ再生装置とを備え、該ＣＤ再生装置が再生している曲に対応するＣＤの置かれたデスプレイ用棚の第１の表示部と、これと対応したストック用棚の第２の表示部とを点灯させるので、消費者或いは利用者は曲のメロデイの一部を頼りにＣＤを自分で選択する事ができる。また、ディスプレイ用棚とストック用棚が別々に配置されているので、ストック用棚のＣＤ収納部が乱雑になる事がない。
特に、第２の表示部にはメッセージカード収納部を設けたことによって、このメッセージカード収納部には、例えばＣＤの推薦理由、曲名、作曲者の紹介等の種々の情報が掲載できるので、消費者の注意を喚起して需要の増大を図る事ができる。
【００１８】
前記ストック用棚のＣＤ収納部は、収納ケースごと入替え可能に構成したので、ＣＤの配置を変更する場合に能率的に行う事ができる。
【００１９】
前記ＣＤ再生装置は、ＣＤに収納された曲の一部のみが演奏される構成としたので、短時間で展示してあるＣＤを全部紹介する事ができる。
【図面の簡単な説明】
【図１】本発明のＣＤ展示装置を示す全体斜視図である。
【図２】同ＣＤ展示装置の正面図である。
【図３】同ＣＤ展示装置の一部を切欠いた側面図である。
【符号の説明】
１０          ＣＤ展示装置
１１          ディスプレイ用棚
１１ａ        区画
１２          ストック用棚
１２ａ        収納部
１２ｂ        収納ケース
１３          第１の表示部
１４          スピーカ
１５          第２の表示部
１６          メッセージカード収納部
１７          ＣＤ再生装置
１８          キャビネット
【図１】
0003664796.tif 000002
【図２】
0003664796.tif 000003
【図３】
0003664796.tif 000004